(57)【特許請求の範囲】
【請求項１】
グループ３ファクシミリ端末機能と、公衆網を介してファクシミリ装置とＩＴＵ−Ｔ勧告Ｔ．３０手順を実行して画情報をやりとりする機能と、インターネットを介して相手端末との間でＩＴＵ−Ｔ勧告Ｔ．３８手順を実行して情報をやりとりする機能を備えるリアルタイムインターネットゲートウェイファクシミリ装置の制御方法において、
通信経路にＩＴＵ−Ｔ勧告Ｔ．３０手順の端末装置が含まれるか否かを検出し、含まれない場合には、相手リアルタイムインターネットゲートウェイファクシミリ装置との間で、上記ＩＴＵ−Ｔ勧告Ｔ．３８手順からＩＴＵ−Ｔ勧告Ｔ．３０手順と整合をとるための信号の交換手順を省略したＴ．３８短縮手順を実行することを特徴とするリアルタイムインターネットゲートウェイファクシミリ装置の制御方法。
【請求項２】
グループ３ファクシミリ端末機能と、公衆網を介してファクシミリ装置とＩＴＵ−Ｔ勧告Ｔ．３０手順を実行して画情報をやりとりする機能と、インターネットを介して相手端末との間でＩＴＵ−Ｔ勧告Ｔ．３８手順を実行して情報をやりとりする機能を備えるリアルタイムインターネットゲートウェイファクシミリ装置の制御方法において、
通信経路にＩＴＵ−Ｔ勧告Ｔ．３０手順の端末装置が含まれるか否かを検出し、含まれない場合には、相手リアルタイムインターネットゲートウェイファクシミリ装置との間で、上記ＩＴＵ−Ｔ勧告Ｔ．３８手順からＩＴＵ−Ｔ勧告Ｔ．３０手順と整合をとるための信号の交換手順を省略したＴ．３８短縮手順を実行する一方、
通信経路にＩＴＵ−Ｔ勧告Ｔ．３０手順の端末装置が含まれる場合には、相手リアルタイムインターネットゲートウェイファクシミリ装置との間で、ＩＴＵ−Ｔ勧告Ｔ．３８手順を実行することを特徴とするリアルタイムインターネットゲートウェイファクシミリ装置の制御方法。
【請求項３】
前記通信経路にＩＴＵ−Ｔ勧告Ｔ．３０手順の端末装置が含まれるか否かの検出は、送信側端末で行うことを特徴とする請求項１または請求項２記載のリアルタイムインターネットゲートウェイファクシミリ装置の制御方法。
【請求項４】
前記通信経路にＩＴＵ−Ｔ勧告Ｔ．３０手順の端末装置が含まれるか否かの検出は、送信側端末と受信側端末間のネゴシエーションで行うことを特徴とする請求項１または請求項２記載のリアルタイムインターネットゲートウェイファクシミリ装置の制御方法。
【請求項５】
グループ３ファクシミリ端末機能と、公衆網を介してファクシミリ装置とＩＴＵ−Ｔ勧告Ｔ．３０手順を実行して画情報をやりとりする機能と、インターネットを介して相手端末との間でＩＴＵ−Ｔ勧告Ｔ．３８手順を実行して情報をやりとりする機能を備えるリアルタイムインターネットゲートウェイファクシミリ装置の制御方法において、
送信側端末は、送信宛先に指定された宛先情報に基づいて、そのときの画情報送信における通信経路にＩＴＵ−Ｔ勧告Ｔ．３０手順の端末装置が含まれるか否かを検出し、
そのときの画情報送信における通信経路にＩＴＵ−Ｔ勧告Ｔ．３０手順の端末装置が含まれない場合には、受信側端末との間で、上記ＩＴＵ−Ｔ勧告Ｔ．３８手順からＩＴＵ−Ｔ勧告Ｔ．３０手順と整合をとるための信号の交換手順を省略したＴ．３８短縮手順を実行し、
そのときの画情報送信における通信経路にＩＴＵ−Ｔ勧告Ｔ．３０手順の端末装置が含まれる場合には、指定された宛先情報を対地側リアルタイムインターネットゲートウェイファクシミリ装置へ通知し、上記ＩＴＵ−Ｔ勧告Ｔ．３８手順を実行して画情報を宛先へ送信することを特徴とするリアルタイムインターネットゲートウェイファクシミリ装置の制御方法。
【発明の詳細な説明】
【０００１】
【発明の属する技術分野】
本発明は、グループ３ファクシミリ端末機能と、公衆網を介してファクシミリ装置とＩＴＵ−Ｔ勧告Ｔ．３０手順を実行して画情報をやりとりする機能と、インターネットを介して相手端末との間でＩＴＵ−Ｔ勧告Ｔ．３８手順を実行して情報をやりとりする機能を備えるリアルタイムインターネットゲートウェイファクシミリ装置の制御方法に関する。
【０００２】
【従来の技術】
近年、インターネット上でやりとりする電子メールを用いて、ファクシミリ画情報を通信する通信システム（以下、「メール型インターネットファクシミリ通信システム」という。）が実用されるようになってきている。このような通信システムについては、ＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）２３０１〜２３０６により、その技術内容が規定されている。
【０００３】
しかしながら、このメール型インターネットファクシミリ通信システムでは、送信側ファクシミリ装置と最終宛先ファクシミリ装置が直接通信するわけではないので、ファクシミリ装置相互間における通信能力の確認が即時的に行えず、そのために、ファクシミリ装置の種々の機能（解像度、画像処理能力など）を利用した画情報通信を行えないという事態を生じる。また、通信結果の通知も即時的に行えないので、送信側ユーザに通信結果が通知されるまで時間がかかり、再送信などの必要性が生じた場合の対処が遅れるという事態も生じる。
【０００４】
そこで、インターネットを利用したファクシミリ通信システムとして、公衆網を介してファクシミリ装置と画情報をやりとりする機能と、インターネットを介して情報をやりとりする機能を備えるリアルタイムインターネットゲートウェイファクシミリ装置を複数設け、このリアルタイムインターネットゲートウェイファクシミリ装置を２つ用い、インターネットを介してファクシミリ装置間のファクシミリ通信をリアルタイムに実現するリアルタイム型インターネットファクシミリ通信システムが提案されつつある。かかるリアルタイム型インターネットファクシミリ通信システムの提案の詳細は、ＩＴＵ−Ｔ勧告Ｔ．３８にまとまり、公表される予定である。
【０００５】
このようなリアルタイム型インターネットファクシミリ通信システムでは、送信側ファクシミリ装置は送信側リアルタイムインターネットゲートウェイファクシミリ装置へ発呼して、宛先電話番号を通知し、送信側リアルタイムインターネットゲートウェイファクシミリ装置では、受信側リアルタイムインターネットゲートウェイファクシミリ装置に対し、送信側ファクシミリ装置より通知された宛先電話番号を通知して、接続要求する。
【０００６】
受信側リアルタイムインターネットゲートウェイファクシミリ装置は、通知された宛先電話番号へ発呼し、回線が確立すると、受信側ファクシミリ装置との間で所定のグループ３ファクシミリ伝送手順を開始するとともに、所定のリアルタイム伝送手順を開始する。
【０００７】
それにより、送信側リアルタイムインターネットゲートウェイファクシミリ装置は、送信側グループ３ファクシミリ装置との間でグループ３ファクシミリ伝送手順を開始するとともに、受信側リアルタイムインターネットゲートウェイファクシミリ装置との間で所定のリアルタイム伝送手順を実行する。
【０００８】
その結果、送信側ファクシミリ装置は、送信側リアルタイムインターネットゲートウェイファクシミリ装置、インターネット、および、受信側リアルタイムインターネットゲートウェイファクシミリ装置を介し、受信側ファクシミリ装置との間でリアルタイムなファクシミリ通信が可能となり、リアルタイムに画情報を送信できる。
【０００９】
したがって、このリアルタイム型インターネットファクシミリ通信システムでは、ファクシミリ装置相互間における通信能力の確認がリアルタイムに行えるので、送信側ファクシミリ装置は、受信側ファクシミリ装置の通信能力に応じた画情報を送信できるとともに、通信結果を即時に得るので、再送動作などを迅速に行うことができる。
【００１０】
【発明が解決しようとする課題】
しかしながら、このようなリアルタイム型インターネットファクシミリ通信システムには、次のような不都合がある。
【００１１】
すなわち、リアルタイムインターネットゲートウェイファクシミリ装置にグループ３ファクシミリ通信機能を追加した場合を考えると、この場合、リアルタイムインターネットゲートウェイファクシミリ装置間の画情報通信は、インターネットを介して直接行えるにも関わらず、通常の勧告Ｔ．３８手順のリアルタイム型インターネットファクシミリ通信処理を実行した場合、勧告Ｔ．３８手順においてＩＴＵ−Ｔ勧告Ｔ．３０手順と整合をとるための信号の交換手順も実行され、そのために、通信時間が不要に長くなるという不都合を生じる。
【００１２】
本発明は、かかる実情に鑑みてなされたものであり、通信時間を短縮できるリアルタイムインターネットゲートウェイファクシミリ装置の制御方法を提供することを目的としている。
【００１３】
【課題を解決するための手段】
本発明は、グループ３ファクシミリ端末機能と、公衆網を介してファクシミリ装置とＩＴＵ−Ｔ勧告Ｔ．３０手順を実行して画情報をやりとりする機能と、インターネットを介して相手端末との間でＩＴＵ−Ｔ勧告Ｔ．３８手順を実行して情報をやりとりする機能を備えるリアルタイムインターネットゲートウェイファクシミリ装置の制御方法において、通信経路にＩＴＵ−Ｔ勧告Ｔ．３０手順の端末装置が含まれるか否かを検出し、含まれない場合には、相手リアルタイムインターネットゲートウェイファクシミリ装置との間で、上記ＩＴＵ−Ｔ勧告Ｔ．３８手順からＩＴＵ−Ｔ勧告Ｔ．３０手順と整合をとるための信号の交換手順を省略したＴ．３８短縮手順を実行するようにしたものである。
【００１４】
また、グループ３ファクシミリ端末機能と、公衆網を介してファクシミリ装置とＩＴＵ−Ｔ勧告Ｔ．３０手順を実行して画情報をやりとりする機能と、インターネットを介して相手端末との間でＩＴＵ−Ｔ勧告Ｔ．３８手順を実行して情報をやりとりする機能を備えるリアルタイムインターネットゲートウェイファクシミリ装置の制御方法において、通信経路にＩＴＵ−Ｔ勧告Ｔ．３０手順の端末装置が含まれるか否かを検出し、含まれない場合には、相手リアルタイムインターネットゲートウェイファクシミリ装置との間で、上記ＩＴＵ−Ｔ勧告Ｔ．３８手順からＩＴＵ−Ｔ勧告Ｔ．３０手順と整合をとるための信号の交換手順を省略したＴ．３８短縮手順を実行する一方、通信経路にＩＴＵ−Ｔ勧告Ｔ．３０手順の端末装置が含まれる場合には、相手リアルタイムインターネットゲートウェイファクシミリ装置との間で、ＩＴＵ−Ｔ勧告Ｔ．３８手順を実行するようにしたものである。
【００１５】
また、前記通信経路にＩＴＵ−Ｔ勧告Ｔ．３０手順の端末装置が含まれるか否かの検出は、送信側端末で行うとよい。また、前記通信経路にＩＴＵ−Ｔ勧告Ｔ．３０手順の端末装置が含まれるか否かの検出は、送信側端末と受信側端末間のネゴシエーションで行うようにするとよい。
【００１６】
また、グループ３ファクシミリ端末機能と、公衆網を介してファクシミリ装置とＩＴＵ−Ｔ勧告Ｔ．３０手順を実行して画情報をやりとりする機能と、インターネットを介して相手端末との間でＩＴＵ−Ｔ勧告Ｔ．３８手順を実行して情報をやりとりする機能を備えるリアルタイムインターネットゲートウェイファクシミリ装置の制御方法において、送信側端末は、送信宛先に指定された宛先情報に基づいて、そのときの画情報送信における通信経路にＩＴＵ−Ｔ勧告Ｔ．３０手順の端末装置が含まれるか否かを検出し、  そのときの画情報送信における通信経路にＩＴＵ−Ｔ勧告Ｔ．３０手順の端末装置が含まれない場合には、受信側端末との間で、上記ＩＴＵ−Ｔ勧告Ｔ．３８手順からＩＴＵ−Ｔ勧告Ｔ．３０手順と整合をとるための信号の交換手順を省略したＴ．３８短縮手順を実行し、そのときの画情報送信における通信経路にＩＴＵ−Ｔ勧告Ｔ．３０手順の端末装置が含まれる場合には、指定された宛先情報を対地側リアルタイムインターネットゲートウェイファクシミリ装置へ通知し、上記ＩＴＵ−Ｔ勧告Ｔ．３８手順を実行して画情報を宛先へ送信するようにしたものである。
【００１７】
【発明の実施の形態】
以下、添付図面を参照しながら、本発明の実施の形態を詳細に説明する。
【００１８】
図１は、本発明の一実施例にかかるリアルタイム型インターネットファクシミリ通信システムの一例を示している。
【００１９】
このリアルタイム型インターネットファクシミリ通信システムは、公衆電話網ＰＳＴＮに接続されたグループ３ファクシミリ装置ＦＧ１，ＦＧ２、公衆電話網ＰＳＴＮに接続されてグループ３ファクシミリ装置ＦＧ１，ＦＧ２との間でファクシミリ通信を行う機能と、グループ３ファクシミリ端末機能と、インターネットＩＮＥＴに接続されてインターネットＩＮＥＴを介して所定のリアルタイム伝送手順を行う機能を備えたリアルタイムインターネットゲートウェイファクシミリ装置ＧＷ１，ＧＷ２から構成される。
【００２０】
ここで、グループ３ファクシミリ装置ＦＧ１とリアルタイムインターネットゲートウェイファクシミリ装置ＧＷ１が同一地域内に設置されるとともに、グループ３ファクシミリ装置ＦＧ２とリアルタイムインターネットゲートウェイファクシミリ装置ＧＷ２が同一地域内に設置され、それらの設置地域は、相互に遠隔地域である。
【００２１】
したがって、この場合、グループ３ファクシミリ装置ＦＧ１については、リアルタイムインターネットゲートウェイファクシミリ装置ＧＷ１がリアルタイム型インターネットファクシミリ通信システム通信サービスを提供し、また、グループ３ファクシミリ装置ＦＧ２については、リアルタイムインターネットゲートウェイファクシミリ装置ＧＷ２がリアルタイム型インターネットファクシミリ通信システム通信サービスを提供する。
【００２２】
図２は、リアルタイムインターネットゲートウェイファクシミリ装置ＧＷ（ＧＷ１，ＧＷ２）の構成例を示している。
【００２３】
同図において、システム制御部１は、このリアルタイムインターネットゲートウェイファクシミリ装置の各部の制御処理、ファクシミリ伝送制御手順（ＩＴＵ−Ｔ勧告Ｔ．３０手順）処理、および、リアルタイム伝送制御手順（ＩＴＵ−Ｔ勧告Ｔ．３８手順）処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このリアルタイムインターネットゲートウェイファクシミリ装置に固有な各種の情報を記憶するためのものであり、時計回路４は、現在時刻情報を出力するものである。
【００２４】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００２５】
符号化復号化部８は、画信号を符号化圧縮するとともに、符号化圧縮されている画情報を元の画信号に復号化するためのものであり、この場合には、画情報受信時のエラー検出を主目的として用いられる。また、画像蓄積装置９は、符号化圧縮された状態の画情報を多数記憶するためのものである。
【００２６】
網制御装置１０は、このリアルタイムインターネットゲートウェイファクシミリ装置を公衆電話網ＰＳＴＮに接続するためのものであり、自動発着信機能を備えている。
【００２７】
グループ３ファクシミリモデム１１は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２８】
インターネット通信制御部１２は、このリアルタイムインターネットゲートウェイファクシミリ装置をインターネットＩＮＥＴへ接続し、インターネットＩＮＥＴを介して種々のデータをやりとりするためのものであり、ＴＣＰ／ＩＰパケット解析部１３は、インターネット通信制御部１２が受信したＴＣＰ／ＩＰパケットを解析して受信情報を取り出すためのものであり、グループ３プロトコル情報生成部１４は、リアルタイム伝送手順において、ＴＣＰ／ＩＰパケット解析部１３から出力される受信情報を対応するグループ３伝送手順信号情報に変換するものである。
【００２９】
グループ３プロトコル情報取出部１５は、リアルタイム伝送手順において、送信するグループ３ファクシミリ伝送手順情報を取り出すためのものであり、ＴＣＰ／ＩＰパケット変換部１６は、グループ３プロトコル情報取出部１５から出力されるグループ３ファクシミリ伝送手順情報をＴＣＰ／ＩＰパケットデータへ変換するためのものであり、その出力データは、インターネット通信制御部１２へ加えられる。
【００３０】
これらの、システム制御部１、システムメモリ２、パラメータメモリ３、時計回路４、スキャナ５、プロッタ６、操作表示部７、符号化復号化部８、画像蓄積装置９、網制御装置１０、グループ３ファクシミリモデム１１、グループ３プロトコル情報生成部１４、および、グループ３プロトコル情報取出部１５は、内部バス１７に接続されており、これらの各要素間でのデータのやりとりは、主としてこの内部バス１７を介して行われている。
【００３１】
また、網制御装置１０とグループ３ファクシミリモデム１１との間のデータのやりとりは、直接行なわれている。
【００３２】
さて、このリアルタイム型インターネットファクシミリ通信システムにおいて、例えば、グループ３ファクシミリ装置ＦＧ１からグループ３ファクシミリ装置ＦＧ２へ画情報を送信する場合（以下、図１を参照のこと。）、勧告Ｔ．３８手順によるリアルタイム型通信が実行される。
【００３３】
すなわち、まず、グループ３ファクシミリ装置ＦＧ１は、リアルタイムインターネットゲートウェイファクシミリ装置ＧＷ１へ発呼する（Ｓ１）。
【００３４】
これにより、リアルタイムインターネットゲートウェイファクシミリ装置ＧＷ１は、着信応答し、所定のトーン信号をグループ３ファクシミリ装置ＦＧ１へ応答する（Ｓ２）。
【００３５】
グループ３ファクシミリ装置ＦＧ１は、リアルタイムインターネットゲートウェイファクシミリ装置ＧＷ１からのトーン信号を検出すると、ユーザに対し、宛先ファクシミリ装置（この場合は、グループ３ファクシミリ装置ＦＧ２）の電話番号を入力要求し、それにより、ユーザは、宛先ファクシミリ装置の電話番号を操作入力する。
【００３６】
次に、グループ３ファクシミリ装置ＦＧ１は、プッシュボタン信号ＰＢにより、ユーザから操作入力された宛先電話番号をリアルタイムインターネットゲートウェイファクシミリ装置ＧＷ１に送信する（Ｓ３）。
【００３７】
リアルタイムインターネットゲートウェイファクシミリ装置ＧＷ１は、グループ３ファクシミリ装置ＦＧ１よりプッシュボタン信号ＰＢで宛先電話番号を受信すると、リアルタイムインターネットゲートウェイファクシミリ装置ＧＷ２に対し、接続要求するとともに、宛先電話番号を通知する（Ｓ４）。
【００３８】
リアルタイムインターネットゲートウェイファクシミリ装置ＧＷ１より接続要求を受けたリアルタイムインターネットゲートウェイファクシミリ装置ＧＷ２は、そのときに通知された宛先電話番号へ発呼する（Ｓ５）。
【００３９】
その発呼先のグループ３ファクシミリ装置ＦＧ２は、着信検出すると、着信応答し（Ｓ６）、それにより、リアルタイムインターネットゲートウェイファクシミリ装置ＧＷ２は、リアルタイムインターネットゲートウェイファクシミリ装置ＧＷ１に対して、所定のリアルタイム伝送手順を開始する（Ｓ７）。
【００４０】
このようにして、公衆電話網ＰＳＴＮを介してグループ３ファクシミリ装置ＦＧ１とリアルタイムインターネットゲートウェイファクシミリ装置ＧＷ１との間に通信パスが形成され、インターネットＩＮＥＴを介してリアルタイムインターネットゲートウェイファクシミリ装置ＧＷ１とリアルタイムインターネットゲートウェイファクシミリ装置ＧＷ２の間に通信パスが形成され、公衆電話網ＰＳＴＮを介してリアルタイムインターネットゲートウェイファクシミリ装置ＧＷ１とグループ３ファクシミリ装置ＦＧ１との間に通信パスが形成されることで、グループ３ファクシミリ装置ＦＧ１とグループ３ファクシミリ装置ＦＧ２の間にリアルタイム的な通信パスが形成され、それ以降は、このグループ３ファクシミリ装置ＦＧ１とグループ３ファクシミリ装置ＦＧ２の間のリアルタイム的な通信パスが使用されて、グループ３ファクシミリ装置ＦＧ１からグループ３ファクシミリ装置ＦＧ２へ画情報が送信される。
【００４１】
また、このリアルタイム型インターネットファクシミリ通信システムでは、リアルタイムインターネットゲートウェイファクシミリ装置ＧＷ１，ＧＷ２が、グループ３ファクシミリ装置機能を備えているので、例えば、図３に示すように、リアルタイムインターネットゲートウェイファクシミリ装置ＧＷ１からグループ３ファクシミリ装置ＦＧ２への画情報送信動作も可能となる。また、この場合も、リアルタイムインターネットゲートウェイファクシミリ装置ＧＷ１とリアルタイムインターネットゲートウェイファクシミリ装置ＧＷ２の間では、勧告Ｔ．３８手順の通信動作が実行される。
【００４２】
この場合には、まず、リアルタイムインターネットゲートウェイファクシミリ装置ＧＷ１は、送信原稿がセットされると、ユーザに対し、最初の宛先情報の入力を要求する。
【００４３】
この場合、ユーザは、リアルタイムインターネットゲートウェイファクシミリ装置ＧＷ２を介してグループ３ファクシミリ装置ＦＧ２へ画情報を送信するので、最初の宛先情報として、リアルタイムインターネットゲートウェイファクシミリ装置ＧＷ２のアドレスを入力する。
【００４４】
このように、最初の宛先情報として、インターネット上のアドレス情報が入力されると、リアルタイムインターネットゲートウェイファクシミリ装置ＧＷ１は、次に、最終宛先の電話番号をユーザに入力させる。
【００４５】
それにより、ユーザは、この場合、グループ３ファクシミリ装置ＦＧ２の電話番号を操作入力する。このようにして、最終宛先として有効な電話番号が入力されると、リアルタイムインターネットゲートウェイファクシミリ装置ＧＷ１は、最終宛先がグループ３ファクシミリ装置（ＦＧ２）であると認識する。
【００４６】
したがって、この場合には、ユーザが送信開始を指令すると、リアルタイムインターネットゲートウェイファクシミリ装置ＧＷ１は、リアルタイムインターネットゲートウェイファクシミリ装置ＧＷ２に対し、接続要求するとともに、最終宛先としてグループ３ファクシミリ装置ＦＧ２の宛先電話番号を通知する（Ｓ１１）。
【００４７】
リアルタイムインターネットゲートウェイファクシミリ装置ＧＷ１より接続要求を受けたリアルタイムインターネットゲートウェイファクシミリ装置ＧＷ２は、そのときに通知された宛先電話番号へ発呼する（Ｓ１２）。
【００４８】
その発呼先のグループ３ファクシミリ装置ＦＧ２は、着信検出すると、着信応答し（Ｓ１３）、それにより、リアルタイムインターネットゲートウェイファクシミリ装置ＧＷ２は、リアルタイムインターネットゲートウェイファクシミリ装置ＧＷ１に対して、所定のリアルタイム伝送手順を開始する（Ｓ１４）。
【００４９】
このようにして、インターネットＩＮＥＴを介してリアルタイムインターネットゲートウェイファクシミリ装置ＧＷ１とリアルタイムインターネットゲートウェイファクシミリ装置ＧＷ２の間に通信パスが形成され、公衆電話網ＰＳＴＮを介してリアルタイムインターネットゲートウェイファクシミリ装置ＧＷ１とグループ３ファクシミリ装置ＦＧ１との間に通信パスが形成されることで、リアルタイムインターネットゲートウェイファクシミリ装置ＧＷ１とグループ３ファクシミリ装置ＦＧ２の間にリアルタイム的な通信パスが形成され、それ以降は、このリアルタイムインターネットゲートウェイファクシミリ装置ＧＷ１とグループ３ファクシミリ装置ＦＧ２の間のリアルタイム的な通信パスが使用されて、リアルタイムインターネットゲートウェイファクシミリ装置ＧＷ１からグループ３ファクシミリ装置ＦＧ２へ画情報が送信される。
【００５０】
また、このリアルタイム型インターネットファクシミリ通信システムでは、リアルタイムインターネットゲートウェイファクシミリ装置ＧＷ１，ＧＷ２が、グループ３ファクシミリ装置機能を備えているので、例えば、図４に示すように、リアルタイムインターネットゲートウェイファクシミリ装置ＧＷ１からグループ３ファクシミリ装置ＦＧ１への画情報送信動作も可能となる。
【００５１】
この場合には、まず、リアルタイムインターネットゲートウェイファクシミリ装置ＧＷ１は、送信原稿がセットされると、ユーザに対し、最初の宛先情報の入力を要求する。
【００５２】
この場合、ユーザは、グループ３ファクシミリ装置ＦＧ１へ画情報を送信するので、最初の宛先情報として、グループ３ファクシミリ装置ＦＧ１の電話番号を入力する。
【００５３】
このように、最初の宛先情報として、電話番号が入力されると、リアルタイムインターネットゲートウェイファクシミリ装置ＧＷ１は、公衆電話網ＰＳＴＮを用いて、指定された宛先の電話番号へ発呼し（Ｓ２１）、それにより、宛先のグループ３ファクシミリ装置ＦＧ１が着呼応答すると（Ｓ２２）、リアルタイムインターネットゲートウェイファクシミリ装置ＧＷ１は、それ以降、宛先のグループ３ファクシミリ装置ＦＧ１との間で所定のグループ３ファクシミリ伝送手順を実行し、画情報送信動作を実行する。
【００５４】
さらに、この場合には、図５に示したように、リアルタイムインターネットゲートウェイファクシミリ装置ＧＷ１とリアルタイムインターネットゲートウェイファクシミリ装置ＧＷ２との間の通信動作も行うことができる。この場合、リアルタイムインターネットゲートウェイファクシミリ装置ＧＷ１とリアルタイムインターネットゲートウェイファクシミリ装置ＧＷ１の間では、後述する勧告Ｔ．３８短縮手順が実行されて、画情報通信が実現する。
【００５５】
すなわち、この場合には、まず、リアルタイムインターネットゲートウェイファクシミリ装置ＧＷ１は、送信原稿がセットされると、ユーザに対し、最初の宛先情報の入力を要求する。
【００５６】
この場合、ユーザは、リアルタイムインターネットゲートウェイファクシミリ装置ＧＷ２へ画情報を送信するので、最初の宛先情報として、リアルタイムインターネットゲートウェイファクシミリ装置ＧＷ２のアドレスを入力する。
【００５７】
このように、最初の宛先情報として、インターネット上のアドレス情報が入力されると、リアルタイムインターネットゲートウェイファクシミリ装置ＧＷ１は、次に、最終宛先となる電話番号を、ユーザに入力させる。
【００５８】
この場合、最終宛先のアドレスをすでに入力しているので、ユーザは、最終宛先の電話番号を入力しない。このようにして、最終宛先の電話番号が入力されない場合、リアルタイムインターネットゲートウェイファクシミリ装置ＧＷ１は、最終宛先がリアルタイムインターネットゲートウェイファクシミリ装置ＧＷ２であると認識する。
【００５９】
したがって、この場合には、ユーザが送信開始を指令すると、リアルタイムインターネットゲートウェイファクシミリ装置ＧＷ１は、リアルタイムインターネットゲートウェイファクシミリ装置ＧＷ２に対し、接続要求するとともに、最終宛先の宛先電話番号を通知しない（Ｓ３１）。
【００６０】
このようにして、最終宛先の宛先電話番号が通知されない状態で、リアルタイムインターネットゲートウェイファクシミリ装置ＧＷ１から接続要求されると、リアルタイムインターネットゲートウェイファクシミリ装置ＧＷ２は、接続応答し（Ｓ３２）、それにより、リアルタイムインターネットゲートウェイファクシミリ装置ＧＷ１とリアルタイムインターネットゲートウェイファクシミリ装置ＧＷ１との間に通信パスが設定され、それ以降、リアルタイムインターネットゲートウェイファクシミリ装置ＧＷ１とリアルタイムインターネットゲートウェイファクシミリ装置ＧＷ２の間で勧告Ｔ．３８短縮手順が実行されて、リアルタイムインターネットゲートウェイファクシミリ装置ＧＷ１からリアルタイムインターネットゲートウェイファクシミリ装置ＧＷ２へ画情報が送信される。
【００６１】
このようにして、本実施例では、リアルタイムインターネットゲートウェイファクシミリ装置ＧＷ１は、４つの態様の送信動作を行い、リアルタイムインターネットゲートウェイファクシミリ装置ＧＷ１は、リアルタイムインターネットゲートウェイ装置の通信動作と、グループ３ファクシミリ装置の通信動作をともに実行することができる。
【００６２】
図６は、勧告Ｔ．３８の通信手順の一例を示している。なお、同図において、送信側グループ３ファクシミリ（Ｇ３ＦＡＸ）、送信側ゲートウェイ（ＧＷ）、受信側ゲートウェイ、および、受信側グループ３ファクシミリは、それぞれ、図１のグループ３ファクシミリ装置ＦＧ１、リアルタイムインターネットゲートウェイファクシミリ装置ＧＷ１、リアルタイムインターネットゲートウェイファクシミリ装置ＧＷ２、および、グループ３ファクシミリ装置ＦＧ２にそれぞれ相当する。また、送信側ＧＷと受信側ＧＷとの間でやりとりされる信号が、リアルタイム伝送手順にかかる信号である。
【００６３】
まず、送信側Ｇ３ＦＡＸは、送信側ＧＷへ発呼し、ユーザから指定された宛先電話番号をプッシュボタン信号ＰＢにより送出する。送信側ＧＷは、着呼検出すると、着呼応答し、次いで、送信側Ｇ３ＦＡＸよりプッシュボタン信号ＰＢによる宛先電話番号を受信する。
【００６４】
次に、送信側Ｇ３ＦＡＸは、呼接続を要求するために勧告Ｔ．３０手順のトーン信号ＣＮＧを送信側ＧＷへ送出する。これにより、送信側ＧＷは、受信側ＧＷに対し接続要求パケットを送信して、接続要求するとともに、宛先電話番号を通知する。それにより、受信側ＧＷは、指定された受信側Ｇ３ＦＡＸへ発呼し、所定のトーン信号ＣＮＧを送出して呼接続を要求する一方、接続確認パケットを送信側ＧＷへ送信して、呼接続を確認する。
【００６５】
受信側ＧＷから発呼され、呼接続が要求された受信側Ｇ３ＦＡＸは、着信応答して、所定のトーン信号ＣＥＤ（被呼局識別信号）を送出し、受信側ＧＷは、このトーン信号ＣＥＤを検出すると、信号ＣＥＤを検出した旨をあらわす信号（Ｔ３０ＩＮＤ：ＣＥＤ）を送信側ＧＷへ送信し、それにより、送信側ＧＷは、トーン信号ＣＥＤを送信側Ｇ３ＦＡＸへ送出する。
【００６６】
次いで、受信側Ｇ３ＦＡＸは、フラグ（Ｆｌａｇｓ）信号に続き、グループ３ファクシミリ伝送手順信号であり、自端末のオプション的な伝送機能を通知するための信号ＮＳＦ、自端末の識別信号を通知するための信号ＣＳＩ、および、自端末の標準的な伝送機能を通知するための信号ＤＩＳを順次送出する。受信側ＧＷは、フラグ信号を検出すると、信号（Ｔ３０ＩＮＤ：Ｆｌａｇｓ）を送信側ＧＷへ送信するとともに、信号ＮＳＦ，ＣＳＩ，ＤＩＳを順次検出すると、信号ＮＳＦ，ＣＳＩ，ＤＩＳをあらわす信号（Ｖ２１ＨＤＬＣ：ＮＳＦ／ＣＳＩ／ＤＩＳ）を、送信側ＧＷへと順次送信する。
【００６７】
それにより、送信側ＧＷは、フラグ信号を受信した時点で送信側Ｇ３ＦＡＸへフラグ信号の送出を開始し、信号（Ｖ２１ＨＤＬＣ：ＮＳＦ／ＣＳＩ／ＤＩＳ）を受信すると、それぞれ対応する信号ＮＳＦ，ＣＳＩ，ＤＩＳを送信側Ｇ３ＦＡＸへと送信する。
【００６８】
これによって、送信側Ｇ３ＦＡＸは、受信側Ｇ３ＦＡＸの識別信号および伝送機能を知るので、その通知された伝送機能に基づき、そのときに使用する伝送機能およびモデム速度などを設定する。次いで、送信側Ｇ３ＦＡＸは、フラグ信号に続き、グループ３ファクシミリ伝送手順信号であり、自端末の識別信号を通知するための信号ＴＳＩ、および、使用する伝送機能を通知するための信号ＤＣＳを順次送出し、さらに、通知したモデム速度でモデムトレーニングを行うための信号ＴＣＦを送出する。
【００６９】
それにより、送信側ＧＷは、フラグ信号を検出すると、信号（Ｔ３０ＩＮＤ：Ｆｌａｇｓ）を受信側ＧＷへ送信するとともに、信号ＴＳＩ，ＤＣＳ，ＴＣＦを順次検出すると、それらの信号ＴＳＩ，ＤＣＳをあらわす信号（Ｖ２１ＨＤＬＣ：ＴＳＩ／ＤＣＳ）を受信側ＧＷへ送信する。
【００７０】
それにより、受信側ＧＷは、フラグ信号を受信した時点で受信側Ｇ３ＦＡＸへのフラグ信号の送出を開始し、信号（Ｖ２１ＨＤＬＣ：ＴＳＩ／ＤＣＳ）を受信すると、それぞれ対応する信号ＴＳＩ，ＤＣＳ、および、信号ＴＣＦを受信側Ｇ３ＦＡＸへと送信する。
【００７１】
受信側Ｇ３ＦＡＸは、信号ＴＳＩを受信すると、相手端末（送信側Ｇ３ＦＡＸ）の識別情報を取得し、信号ＤＣＳを受信すると使用する伝送機能を取得し、それによって、モデム速度を設定し、信号ＴＣＦを受信する。
【００７２】
そして、受信側Ｇ３ＦＡＸは、信号ＴＣＦの受信結果が良好な場合には、フラグ信号に続き、グループ３ファクシミリ伝送手順信号であり、受信準備が完了した旨を通知するための信号ＣＦＲを送出する。受信側ＧＷは、フラグ信号を検出すると、信号（Ｔ３０ＩＮＤ：Ｆｌａｇｓ）を送信側ＧＷへ送信するとともに、信号ＣＦＲを検出すると、信号ＣＦＲをあらわす信号（Ｖ２１ＨＤＬＣ：ＣＦＲ）を送信側ＧＷへ送信する。
【００７３】
それにより、送信側ＧＷは、フラグ信号を受信した時点で送信側Ｇ３ＦＡＸへフラグ信号の送出を開始し、信号（Ｖ２１ＨＤＬＣ：ＣＦＲ）を受信すると、対応する信号ＣＦＲを送信側Ｇ３ＦＡＸへと送信する。
【００７４】
このようにして、画情報の送信準備が整うと、送信側Ｇ３ＦＡＸは、モデムのリトレーニングのためのトレーニング（Ｔｒａｉｎｉｎｇ）信号を送出した後に、画情報を送出し、画情報の送出を終了すると、フラグ信号に続いて、画情報送信が終了した旨を通知する信号ＥＯＰを送出する。
【００７５】
また、送信側ＧＷは、送信側Ｇ３ＦＡＸよりトレーニング信号を検出すると、信号（Ｔ３０ＩＮＤ：Ｓｐｅｅｄ）を受信側ＧＷへ送信し、続いて、送信側Ｇ３ＦＡＸより受信した画情報を複数に分割し、それぞれの分割された画情報をパケットデータとして、受信側ＧＷへ送信する。そして、送信側Ｇ３ＦＡＸよりフラグ信号を検出すると、信号（Ｔ３０ＩＮＤ：Ｆｌａｇｓ）を受信側ＧＷへ送信するとともに、信号ＥＯＰを検出すると、信号ＥＯＰをあらわす信号（Ｖ２１ＨＤＬＣ：ＥＯＰ）を受信側ＧＷへ送信する。
【００７６】
一方、受信側ＧＷは、信号（Ｔ３０ＩＮＤ：Ｓｐｅｅｄ）を受信すると、対応するトレーニング信号を受信側Ｇ３ＦＡＸへ送信し、画情報を運ぶパケットを受信すると、それに含まれている分割画情報を順次取り出し、連結した画情報を作成し、その画情報を、受信側Ｇ３ＦＡＸへ送信する。また、画報の送信を終了した後に、受信側Ｇ３ＦＡＸへのフラグ信号の送出を開始し、このときには、信号（Ｖ２１ＨＤＬＣ：ＥＯＰ）を受信するので、対応する信号ＥＯＰを受信側Ｇ３ＦＡＸへと送信する。
【００７７】
また、受信側Ｇ３ＦＡＸは、受信側ＧＷより受信したトレーニング信号でモデムのリトレーニングを行った後、画情報を受信し、次いで、フラグ信号に続いて信号ＥＯＰを受信すると、画情報の受信が終了したことを認識する。そして、受信側Ｇ３ＦＡＸは、そのときの画情報の受信結果が良好な場合には、フラグ信号に続いて、その旨を通知する信号ＭＣＦを受信側ＧＷに送信する。
【００７８】
受信側ＧＷは、フラグ信号を検出すると、信号（Ｔ３０ＩＮＤ：Ｆｌａｇｓ）を送信側ＧＷへ送信するとともに、信号ＭＣＦを検出すると、信号ＭＣＦをあらわす信号（Ｖ２１ＨＤＬＣ：ＭＣＦ）を送信側ＧＷへ送信する。
【００７９】
それにより、送信側ＧＷは、フラグ信号を受信した時点で送信側Ｇ３ＦＡＸへフラグ信号の送出を開始し、信号（Ｖ２１ＨＤＬＣ：ＭＣＦ）を受信すると、対応する信号ＭＣＦを送信側Ｇ３ＦＡＸへと送信する。
【００８０】
それにより、送信側Ｇ３ＦＡＸは、受信側Ｇ３ＦＡＸで画情報を正常に受信されたことを認識する。この後は、送信側Ｇ３ＦＡＸは、フラグ信号に続き、回線復旧を指令するための信号ＤＣＮを送信側ＧＷへ送出した後に、回線を復旧する。
【００８１】
それにより、上述と同様の手順により、信号（Ｔ３０ＩＮＤ：Ｆｌａｇｓ）、信号（Ｖ２１ＨＤＬＣ：ＤＣＮ）が送信側ＧＷから受信側ＧＷへと送信される。そして、送信側ＧＷからは、フラグ信号および信号ＤＣＮが受信側Ｇ３ＦＡＸへと順次送信され、受信側Ｇ３ＦＡＸは、信号ＤＣＮを受信すると、回線を復旧する。
【００８２】
また、送信側ＧＷは、通信パスを切断する旨を要求する切断要求パケットを受信側ＧＷへ送出し、受信側ＧＷは、切断要求パケットを受信すると、通信パスの切断を確認した旨をあらわす切断確認パケットを送信側ＧＷへ送出して、一連の通信動作を終了する。
【００８３】
これにより、送信側Ｇ３ＦＡＸと送信側ＧＷとの間の回線、および、受信側Ｇ３ＦＡＸと受信側ＧＷとの間の回線が復旧され、送信側Ｇ３ＦＡＸと受信側Ｇ３ＦＡＸの間に形成されていたリアルタイム的な通信パスが切断される。
【００８４】
このようにして、送信側Ｇ３ＦＡＸと受信側Ｇ３ＦＡＸとの間のファクシミリ伝送手順が、送信側ＧＷおよび受信側ＧＷのリアルタイム伝送手順により、リアルタイム的に実行されて、送信側Ｇ３ＦＡＸから受信側Ｇ３ＦＡＸへの画情報の送信がなされる。
【００８５】
ここで、図６における信号（Ｔ３０ＩＮＤ：「信号名」）は、ＩＴＵ−Ｔ勧告Ｔ．３０に従ったトーナル信号の検出を通知するための信号であり、信号（Ｖ２１ＨＤＬＣ：「信号名」）は、ＩＴＵ−Ｔ勧告Ｔ．３０に従ったバイナリ信号を運ぶための信号である。また、「Ｖ．２１」、ＩＴＵ−Ｔ勧告Ｖ．２１モデムにより運ばれる信号であることをあらわし、「ＨＤＬＣ」は、ＨＤＬＣフレーム化されている信号であることをあらわす。
【００８６】
そして、このような信号をやりとりすることで、送信側ＧＷと受信側ＧＷとの間で、リアルタイム伝送手順が実現される。
【００８７】
ここで、送信側ＧＷが受信側ＧＷに対して、接続要求する際に送出する接続要求パケット、および、受信側ＧＷが送信側ＧＷに対して、接続確認のために送出する接続確認パケットは、図７に示すような信号形式を持つ。なお、この信号形式は、ＩＴＵ−Ｔ勧告Ｈ．２２５．０で規定されているものであり、基本的には、ＩＳＤＮのレイヤ３における呼接続用信号と同一の信号形式を持つ。
【００８８】
この接続要求パケット（または、接続確認パケット）は、プロトコル仕様（フォーマット、シーケンスなど）を識別するためのプロトコル識別子、そのメッセージがどの呼に関与するものであるかを識別するための呼番号、それぞれのメッセージの内容を識別するためのメッセージタイプ、伝達能力、発信元番号、発信先番号、および、ユーザ・ユーザからなる。
【００８９】
ここで、「伝達能力」情報要素は、伝送する情報の内容が、音声、非制限デジタル情報、制限デジタル情報、３．１ＫＨｚオーディオ、７ＫＨｚオーディオ、あるいは、ビデオのいずれかであるのかを示す情報転送能力、使用する交換機能が回線交換であるのかパケット交換であるのかを示す転送モード、情報転送の速度をあらわす情報転送速度、情報の転送形態をあらわす情報、および、ユーザ情報のプロトコルをあらわす情報などからなる。
【００９０】
また、「発信元番号」情報要素は、送信側Ｇ３ＦＡＸの電話番号をあらわし、「発信先番号」情報要素は、受信側Ｇ３ＦＡＸの電話番号をあらわす。また、「ユーザ・ユーザ」情報要素は、ユーザ間の情報の伝達に用いるためのものであり、この「ユーザ・ユーザ」情報要素の内容は、中間で解釈されることなくトランスペアレントに転送されて相手ユーザに伝達される。本実施例の場合には、「ユーザ・ユーザ」情報要素として、勧告Ｔ．３８短縮手順を備えている旨をあらわす情報がセットされる。
【００９１】
図８は、勧告Ｔ．３８短縮手順の一例を示している。
【００９２】
まず、送信側ＧＷは、受信側ＧＷに対し接続要求パケットを送信して、接続要求する通知する。それにより、受信側ＧＷは、接続確認パケットを送信側ＧＷへ送信して、呼接続を確認する。
【００９３】
次いで、受信側ＧＷは、グループ３ファクシミリ伝送手順信号であり、自端末のオプション的な伝送機能を通知するための信号ＮＳＦ、自端末の識別信号を通知するための信号ＣＳＩ、および、自端末の標準的な伝送機能を通知するための信号ＤＩＳの内容を通知するための信号（Ｖ２１ＨＤＬＣ：ＮＳＦ／ＣＳＩ／ＤＩＳ）を送信側ＧＷへ送信する。
【００９４】
送信側ＧＷは、信号（Ｖ２１ＨＤＬＣ：ＮＳＦ／ＣＳＩ／ＤＩＳ）を受信すると、受信側ＧＷの識別信号および伝送機能を知るので、その通知された伝送機能に基づき、そのときに使用する伝送機能を設定する。次いで、送信側ＧＷは、グループ３ファクシミリ伝送手順信号であり、自端末の識別信号を通知するための信号ＴＳＩ、および、使用する伝送機能を通知するための信号ＤＣＳの内容を通知するための（Ｖ２１ＨＤＬＣ：ＴＳＩ／ＤＣＳ）を受信側ＧＷへ送信する。
【００９５】
それにより、受信側ＧＷは、受信した信号（Ｖ２１ＨＤＬＣ：ＴＳＩ／ＤＣＳ）に基づいて、相手端末（送信側ＧＷ）の識別情報および使用する伝送機能を取得し、応答信号として、グループ３ファクシミリ伝送手順信号であり、受信準備が完了した旨を通知するための信号ＣＦＲに対応した信号（Ｖ２１ＨＤＬＣ：ＣＦＲ）を送信側ＧＷへ送信する。
【００９６】
それにより、送信側ＧＷは、画情報を送出し、画情報の送出を終了すると、画情報送信が終了した旨を通知する信号ＥＯＰに対応した信号（Ｖ２１ＨＤＬＣ：ＥＯＰ）を送出する。
【００９７】
受信側ＧＷは、信号（Ｖ２１ＨＤＬＣ：ＥＯＰ）を受信すると、そのときの画情報の受信結果が良好な場合には、その旨を通知する信号ＭＣＦに対応した信号（Ｖ２１ＨＤＬＣ：ＭＣＦ）を送出する。
【００９８】
そして、この信号（Ｖ２１ＨＤＬＣ：ＭＣＦ）を受信すると、送信側ＧＷは、画情報送信が完了した旨を確認し、信号ＤＣＮに対応した信号（Ｖ２１ＨＤＬＣ：ＤＣＮ）を送信側ＧＷへ送出し、続いて、通信パスを切断する旨を要求する切断要求パケットを受信側ＧＷへ送出する。受信側ＧＷは、信号（Ｖ２１ＨＤＬＣ：ＤＣＮ）を受信した時点で、通信動作を終了し、切断要求パケットを受信すると、通信パスの切断を確認した旨をあらわす切断確認パケットを送信側ＧＷへ送出して、一連の通信動作を終了する。
【００９９】
また、送信側ＧＷは、受信側ＧＷより切断確認パケットを受信すると、一連の通信動作を終了する。
【０１００】
このようにして、勧告Ｔ．３８短縮手順では、勧告Ｔ．３８手順から勧告Ｔ．３０手順と整合をとるための信号の交換手順が省略されているので、送信側ＧＷと受信側ＧＷの通信動作に要する時間は大幅に削減され、迅速な画情報送信動作が可能となる。
【０１０１】
図９は、送信側Ｇ３ＦＡＸの処理の一例を示している。
【０１０２】
まず、送信側ＧＷへ発呼し（処理１０７）、送信側ＧＷより所定のトーン信号を、所定時間内に検出することを監視する（判断１０２，１０３のＮＯループ）。所定時間内に送信側ＧＷより所定のトーン信号を受信できなかった場合で、判断１０３の結果がＹＥＳになるときには、このときの送信動作をエラー終了する。
【０１０３】
また、所定時間内に送信側ＧＷより所定のトーン信号を受信できた場合で、判断１０２の結果がＹＥＳになるときには、ユーザに対して、受信側Ｇ３ＦＡＸの電話番号（宛先番号）を入力させる（処理１０４）。
【０１０４】
次いで、ユーザから操作入力された宛先番号をプッシュボタン信号ＰＢを用いて送信側ＧＷへ送出し（処理１０５）、そして、所定の伝送前手順を実行して、伝送機能やモデム速度などを設定し（処理１０６）、モデムトレーニング手順を実行して使用するモデム速度を決定し（処理１０７）、所定の画情報送信手順を実行して送信画情報を送信する（処理１０８）。
【０１０５】
このようにして、画情報送信を終了すると、所定の伝送後手順を実行し（処理１０９）、回線を復旧して、送信側ＧＷに対するファクシミリ通信処理を終了する。
【０１０６】
リアルタイムインターネットゲートウェイファクシミリ装置ＧＷ（ＧＷ１，ＧＷ２）の処理の一例を図１０〜１２に示す。
【０１０７】
待機状態では、リアルタイムインターネットゲートウェイファクシミリ装置ＧＷは、ユーザによりスキャナ５に原稿がセットされるか、インターネットＩＮＥＴより接続要求パケットを受信するか、あるいは、公衆電話網ＰＳＴＮより着呼検出することを監視している（判断２０１，２０２，２０３のＮＯループ）。
【０１０８】
ユーザによりスキャナ５に原稿がセットされた場合で、判断２０１の結果がＹＥＳになるときには、ユーザに対して宛先情報を入力させる（処理２０２）。次いで、そのときに入力された宛先情報が「．（ピリオド）」を含むインターネット・アドレスであったかどうかを調べる（判断２０５）。
【０１０９】
判断２０５の結果がＹＥＳになるときには、ユーザに対し、受信側グループ３ファクシミリ装置の電話番号を入力要求する（処理２０６）。この処理２０６で、有効な電話番号が入力されたかどうかを調べ（判断２０７）、判断２０７の結果がＹＥＳになる場合には、図３に示したケースの通信が要求された場合であるので、送信モードに勧告Ｔ．３８通常モードをセットする（処理２０８）。
【０１１０】
また、判断２０７の結果がＮＯになるときには、図５に示したケースの通信が要求された場合であるので、送信モードに勧告Ｔ．３８短縮モードをセットする（処理２０１）。また、判断２０５の結果がＮＯになるときには、電話番号が入力された場合であり、図４のケースの通信が要求された場合であるので、送信モードにＧ３ＦＡＸをセットする（処理２１０）。
【０１１１】
このように、送信モードのセットを終了すると、ユーザが操作表示部７を操作して画情報送信スタートを指令するまで待ち（判断２１１のＮＯループ）、判断２１１の結果がＹＥＳになると、スキャナ５により送信原稿の画像を読み取り、それによって得た画像データを符号化複号化部８によって符号化圧縮し、それによって得た画情報を画像蓄積装置９に蓄積する（処理２１２）。
【０１１２】
次いで、送信モードにＧ３ＦＡＸがセットされているかどうかを調べ（判断２１３）、判断２１３の結果がＹＥＳになるときには、所定のＧ３ＦＡＸ送信処理を実行し、指定された宛先へ発呼して、画像蓄積装置９に蓄積したが情報を宛先を送信する（処理２１４）。そして、送信完了した画情報を画像蓄積装置９から消去して（処理２１５）、判断２０１の待機状態へ戻る。
【０１１３】
また、判断２１３の結果がＮＯになるときには、送信モードに勧告Ｔ．３８通常モードがセットされているかどうかを調べる（判断２１６）。判断２１６の結果がＹＥＳになるときには、勧告Ｔ．３８通常モードの処理であって、送信側Ｇ３ＦＡＸとの間で送受信される信号を擬似的に処理するとともに、受付側ＧＷとの間の処理を実行する所定の疑似リアルタイム型処理（疑似リアルタイム伝送手順）を実行して（処理２１７）、蓄積した画情報を最終宛先のＧ３ＦＡＸへ送信し、その画情報送信を終了すると、処理２１５へ移行して、送信完了した画情報を画像蓄積装置９から消去して、判断２０１の待機状態へ戻る。
【０１１４】
また、送信モードに勧告Ｔ．３８短縮モードがセットされている場合で、判断２１６の結果がＮＯになるときには、上述した勧告Ｔ．３８短縮モードの送信処理を実行して（処理２１８）、蓄積した画情報を最終宛先のＧ３ＦＡＸへ送信し、その画情報送信を終了すると、処理２１５へ移行して、送信完了した画情報を画像蓄積装置９から消去して、判断２０１の待機状態へ戻る。
【０１１５】
また、インターネットＩＮＥＴより接続要求パケットを受信した場合で、判断２０２の結果がＹＥＳになるときには、受信した接続要求パケットの情報要素を解析し、「発信先番号」情報要素に有意な値が含まれているかどうかを調べる（判断２２１）。
【０１１６】
判断２２１の結果がＹＥＳになるときには、宛先へ発呼し（処理２２２）、宛先が話中（ビジー）であるかどうかを調べる（判断２２３）。宛先に接続できた場合で、判断２２３の結果がＮＯになるときには、上述した勧告Ｔ．３８通常モードの受信処理受信側Ｇ３ＦＡＸへ画情報を送信し（処理２２４）、回線を復旧して（処理２２５）、この処理を終了し、判断２０１の待機状態へ戻る。
【０１１７】
また、宛先がビジーであった場合で、判断２２３の結果がＹＥＳになるときには、送信側ＧＷに対して接続不可を通知し（処理２２６）、この処理を終了し、判断２０１の待機状態へ戻る。
【０１１８】
また、「発信先番号」情報要素に有意な値が含まれている場合で、判断２２１の結果がＮＯになるときには、「ユーザ・ユーザ」情報要素に「勧告Ｔ．３８短縮手順あり」の情報が含まれているかどうかを調べる（判断２２７）。
【０１１９】
判断２２７の結果がＹＥＳになるときには、上述した勧告Ｔ．３８短縮手順モードの受信動作を実行し（処理２２８）、その受信動作を終了すると、判断２０１の待機状態へ戻る。
【０１２０】
また、判断２２７の結果がＮＯになるときには、上述した勧告Ｔ．３８通常モードの受信動作を実行し（処理２２９）、その受信動作を終了すると、判断２０１の待機状態へ戻る。
【０１２１】
また、公衆電話網ＰＳＴＮより着呼検出した場合で、判断２０３の結果がＹＥＳになるときには、送信側Ｇ３ＦＡＸへ所定のトーン信号を応答し（処理２３０）、プッシュボタン信号ＰＢによる宛先番号を受信して保存する（処理２３１）。
【０１２２】
次いで、「発信先番号」情報要素に保存した宛先番号をセットするとともに、「ユーザ・ユーザ」情報要素に「勧告Ｔ．３８短縮手順あり」の情報をセットした接続要求パケットを作成して（処理２３２）、その接続要求パケットを受信側ＧＷへ送信する（処理２３３）。受信側Ｇ３ＦＡＸへの回線接続ができたかどうかを調べる（判断２３４）。
【０１２３】
リモート側ＧＷからリアルタイム伝送手順の信号を受信した場合で、判断２３４の結果がＹＥＳになるときには、上述した勧告Ｔ．３８通常モードの送信処理（処理２３５）を実行し、その送信動作を終了すると、判断２０１の待機状態へ戻る。
【０１２４】
また、リモート側ＧＷから接続不可が応答された場合で、判断２３４の結果がＮＯになるときには、送信側Ｇ３ＦＡＸとの回線を切断復旧して（処理２３６）、このときの送信動作を拒否し、判断２０１の待機状態へ戻る。
【０１２５】
【発明の効果】
以上説明したように、本発明によれば、リアルタイムインターネットゲートウェイファクシミリ装置相互間の画情報通信では、ＩＴＵ−Ｔ勧告Ｔ．３８手順からＩＴＵ−Ｔ勧告Ｔ．３０手順と整合をとるための信号の交換手順を省略したＴ．３８短縮手順を実行するので、通信時間を大幅に短縮できるという効果を得る。
【図面の簡単な説明】
【図１】本発明の一実施例にかかるリアルタイム型インターネットファクシミリ通信システムの一例を示したブロック図。
【図２】リアルタイムインターネットゲートウェイファクシミリ装置ＧＷ（ＧＷ１，ＧＷ２）の構成例を示したブロック図。
【図３】リアルタイムインターネットゲートウェイファクシミリ装置ＧＷ１からグループ３ファクシミリ装置ＦＧ２への画情報送信動作の一例を説明するためのブロック図。
【図４】リアルタイムインターネットゲートウェイファクシミリ装置ＧＷ１からグループ３ファクシミリ装置ＦＧ１への画情報送信動作の一例を説明するためのブロック図。
【図５】リアルタイムインターネットゲートウェイファクシミリ装置ＧＷ１とリアルタイムインターネットゲートウェイファクシミリ装置ＧＷ２との間の通信動作の一例を説明するためのブロック図。
【図６】勧告Ｔ．３８の通信手順の一例を示したタイムチャート。
【図７】接続要求パケット（または、接続確認パケット）の信号形式の一例を示した概略図。
【図８】勧告Ｔ．３８短縮手順の一例を示したタイムチャート。
【図９】送信側Ｇ３ＦＡＸの処理の一例を示したフローチャート。
【図１０】リアルタイムインターネットゲートウェイファクシミリ装置の処理の一例の概略を示したフローチャート。
【図１１】リアルタイムインターネットゲートウェイファクシミリ装置の処理の一例の他の部分の概略を示したフローチャート。
【図１２】リアルタイムインターネットゲートウェイファクシミリ装置の処理の一例の残り部分の概略を示したフローチャート。
【符号の説明】
ＧＷ，ＧＷ１，ＧＷ２  リアルタイムインターネットゲートウェイファクシミリ装置
ＦＧ，ＦＧ１，ＦＧ２  グループ３ファクシミリ装置
【図１】
0003563977.tif 000002
【図２】
0003563977.tif 000003
【図３】
0003563977.tif 000004
【図４】
0003563977.tif 000005
【図５】
0003563977.tif 000006
【図６】
0003563977.tif 000007
【図７】
0003563977.tif 000008
【図８】
0003563977.tif 000009
【図９】
0003563977.tif 000010
【図１０】
0003563977.tif 000011
【図１１】
0003563977.tif 000012
【図１２】
0003563977.tif 000013